(57)【要約】【課題】室内空間の十分な拡大と採光を可能とし、簡単な構造でありながら、植物を飾るのに適し、美観にも優れた建物の出窓を提供する。【解決手段】出窓空間（３）を、窓開口部（１３）の開口面（７）と前記開口面（７）を出窓正面に投影させた垂直面（８）とによって挟まれた窓開口面対応空間（４）と、前記窓開口面対応空間（４）を左右側方に拡大する方向に設けた側方拡大空間（５）（５）と、上方に拡大する方向に設けた上方拡大空間（６）とから形成し、かつ、出窓外周において、窓開口面対応空間（４）の正面の垂直面（８）のほぼ全面と、前記側方拡大空間（５）（５）及び上方拡大空間（６）の少なくとも出窓正面側に向いた部分のほぼ全面を透光面とする。【選択図】　図１
2004068359.tif 000002
【特許請求の範囲】
【請求項１】
建物の窓開口部に対応して建物外側に設けられる出窓であって、外壁から建物外側へ向かって張り出した出窓空間を、窓開口部の開口面と前記開口面を出窓正面に投影させた垂直面とによって挟まれた窓開口面対応空間と、前記窓開口面対応空間を左右側方に拡大する方向に設けた側方拡大空間と、前記窓開口面対応空間を上方に拡大する方向に設けた上方拡大空間とから形成するとともに、出窓外周において、窓開口面対応空間の正面の垂直面のほぼ全面と、前記側方拡大空間及び上方拡大空間の少なくとも出窓正面側に向いた部分のほぼ全面に透光面を設けたことを特徴とする出窓。
【請求項２】
前記側方拡大空間及び上方拡大空間において、出窓側方部のほぼ全面に透光面を設けたことを特徴とする請求項１記載の出窓。
【請求項３】
前記出窓の上方部のほぼ全面に透光面を設けたことを特徴とする請求項１又は２に記載の出窓。
【請求項４】
請求項１から３のいずれかに記載の出窓を設けるようにしたことを特徴とする集合住宅又は複数階を有する戸建て住宅。
【発明の詳細な説明】
【０００１】
【発明の属する技術分野】
この発明は、建物の外壁に設けられた出窓と、出窓を用いた住宅に関する。
【０００２】
【従来の技術】
従来、建物の外壁に出窓を設けて、室内空間を拡張し、採光をはかり、住宅の外観の向上を図ることが行われてきた。
【０００３】
図９は、従来の出窓の縦断面図、図１０は横断面図を示している。この種出窓（３１）は、建物の外壁（３２）に開口された窓開口部（３３）に対応する位置に、外壁（３２）から建物外側（３０）に張り出すようにして設けられる。（３４）は、窓開口部（３３）が形成する窓開口面である。（３５）は、窓開口面を、そのままの大きさで、出窓（３１）の突出側、即ち正面側に投影した垂直面である。図９に示すように、窓開口面（３４）の縦の長さと出窓正面側の垂直面（３５）の縦の長さは同じである。図１０に示すように、窓開口面（３４）の横の長さと垂直面（３５）の横の長さは同じである。
【０００４】
このように、一般的な出窓では、出窓空間は、前記窓開口面（３４）と、垂直面（３５）との間に挟まれた直方体の空間内に収まる。以下の説明において、窓開口面（３４）と、これを出窓正面側に投影させた垂直面（３５）に挟まれた空間を、窓開口面対応空間（３６）という。一方、出窓（３１）と外壁（３２）の間に形成される空間を、出窓空間ということとする。図９、図１０において、窓開口面対応空間（３６）と出窓空間は一致している。
【０００５】
上記のように、出窓（３１）により建物外側（３０）へ拡張された出窓空間は、縦・横ともに、窓開口部（３３）の大きさに限定された窓開口面対応空間（３６）の範囲内に限られる。窓開口部（３３）を大きくすれば、出窓空間は大きくなるが、外壁の強度が低下するため、窓開口部（３３）をあまり大きくはできない。そのため、従来の出窓では、室内空間の拡張や、採光といった面で不十分であった。また、出窓（３１）は採光がよく、戸外に面していることから、観葉植物等の植物が飾られることが多いが、植物を飾るスペースとしても十分ではなかった。
【０００６】
これに対し、特開平７−４１４３号公開公報では、出窓部を屋根まで延設するとともに屋根に天窓を設ける手段で、特開２０００−２１３２４０号公開公報においては、出窓の上端が、建物の妻小屋梁よりも高い位置になるようにして、出窓空間を上方に拡大した出窓が開示されている。
【０００７】
また、特開平３−１７６５８７号においては、出窓空間を側方及び上方に拡大し、拡大された空間を収納部として用いる技術が示されている。
【０００８】
【発明が解決しようとする課題】
しかしながら、特開平７−４１４３号公開公報、特開２０００−２１３２４号公開公報のように、出窓を窓開口部より上方に延設するのみでは、出窓空間は、窓開口部の横幅のみに限定されるため、室内空間の拡大としては十分ではない。しかも、屋根との連接部もしくは梁との関係で構造が複雑となる。
【０００９】
特開平３−１７６５８７号のように、側方及び上方に出窓空間を拡大して収納部とするものでは、収納部自体の存在、更には収納物の出し入れの必要から、必然的に構造が複雑となる。また、窓開口部の上側が区切られて収納部とされることから、窓開口部の縦長より草丈や樹高の高い植物の鉢植えをおくことは不可能であり、窓開口部の上側からの採光も図れない。
【００１０】
本願発明は、窓開口部を大きくとることなく室内空間の十分な拡大と採光を可能とし、簡単な構造でありながら、丈の高い植物等、植物を飾ることに適し、しかも美観にも優れた建物の出窓を提供することを目的としている。
【００１１】
【課題を解決するための手段】
上記課題を解決するため、この発明では、建物の窓開口部に対応して建物外側に設けられる出窓であって、外壁から建物外側へ向かって張り出した出窓空間を、窓開口部の開口面と前記開口面を出窓正面に投影させた垂直面とによって挟まれた窓開口面対応空間と、前記窓開口面対応空間を左右側方に拡大する方向に設けた側方拡大空間と、前記窓開口面対応空間を上方に拡大する方向に設けた上方拡大空間とから形成するとともに、出窓外周において、窓開口面対応空間の正面の垂直面のほぼ全面と、前記側方拡大空間及び上方拡大空間の少なくとも出窓正面側に向いた部分のほぼ全面に透光面を設けている。
【００１２】
請求項２の発明では、前記側方拡大空間及び上方拡大空間において、出窓側方部のほぼ全面に透光面を設けた。更に、請求項３の発明では、前記出窓の上方部のほぼ全面に透光面を設ける。
【００１３】
請求項４の発明では、上記の出窓を集合住宅又は複数階を有する戸建て住宅に設けるようにした。
【００１４】
【発明の実施の形態】
以下、この発明の実施形態を図面に基づいて詳細に説明する。図１は、この発明に係る出窓を備えた集合住宅の実施形態を示す。
【００１５】
図１において、（１）（１）…は、マンションの外壁（２）に設けられた出窓である。
【００１６】
実線で囲まれた四角内は、出窓（１）と外壁（２）との間に形成された出窓空間（３）を示している。（４）は、点線で囲まれた四角形の範囲内を指し、窓開口面（７）と、これを出窓正面側に投影した垂直面（８）との間に挟まれた空間からなる窓開口面対応空間を示す。この垂直面（８）は、出窓外周の形状によっては、曲面又は図５・図６のような角面となることもある。
【００１７】
出窓空間（３）は、窓開口面対応空間（４）と、側方拡大空間（５）（５）と、上方拡大空間（６）とからなる。窓開口面対応空間（４）に対して、側方拡大空間（５）（５）は左右両側方に、上方拡大空間（６）は上方に設けられ、出窓空間（３）が、窓開口面対応空間（４）に対して、左右両側方と、上方の三方向に拡大されている。このように、窓開口部（１３）の大きさはそのままで、外壁（２）の強度に影響を与えることなく、出窓空間が拡大される。又、出窓（１）は大きいが、窓開口部（１３）は小さいのでプライバシーが保たれやすい。
【００１８】
（１４）は、植物を植え込んだ鉢植えである。図１の右最上段の出窓（１）に飾られた鉢植え（１４）は、出窓空間（３）内であって、窓開口面対応空間（４）の外側の側方拡大空間（５）内に置かれており、その上端は上方拡大空間（６）に達している。上方拡大空間（６）が設けられているため、従来、出窓に置くことのできなかった草丈の高い植物や、樹高の高い植物の鉢植え（１４）を飾ることができる。また、出窓内の植物が成長してもそのまま飾っておける。更には、側方拡大空間（５）内に、装飾品が沢山置ける上に、丈の高い装飾品も飾ることができる。
【００１９】
出窓外周は、少なくとも、窓開口面対応空間（４）の正面側の垂直面（８）と、この垂直面（８）に連続する側方拡大空間（５）（５）の正面部（９）（９）、及び上方拡大空間（６）の正面部（１０）は全て、ほぼ全面を透光性を有する透光面とする。このように、出窓正面側に向いた部分のほぼ全面にわたる広い範囲を例えばガラス窓のような透光面とすることによって、十分な採光が図れ、美観も向上し、また、高級感を演出することができる。後述するように、出窓の両側面（１５）（１５）をも透光面とすれば、室内からの視界が広るので、より望ましい。
【００２０】
各出窓（１）（１）…は、広さや間取り、又はデザイン上の都合に応じて適宜設けられる。マンション等の集合住宅において、出窓（１）は、各住戸に設けても良いし、　一部の窓をこの出窓（１）としてもよい。図のように、一方の壁面側の窓を全てこのような出窓（１）にすれば美しい。集合住宅に、このように広く採光のよい出窓（１）を設ければ、デラックスな美観が得られるとともに、明るい室内が実現でき、居住者は開放感を得られる。こうした点は、マンション等の購入予定者に対するセールスポイントともなる。
【００２１】
また、この発明に係る出窓（１）を複数階を有する戸建て住宅、例えば、鉄筋コンクリート造り等の個人用住宅等にも用いられる。この場合も、同様に、採光に優れた視界のよい出窓を備えた高級感のある美しい住宅が得られる。
【００２２】
図２は、この発明の実施形態に係る出窓を表す横断面図、図３は縦断面図を示している。（７）は、窓開口部（１３）が形成する窓開口面である。（８）は、出窓正面側に窓開口面（７）を投影した垂直面であって、両者に挟まれた空間である窓開口面対応空間（４）の両側方に側方拡大空間（５）（５）が設けられている。
【００２３】
図において、左側の側方拡大空間（５）は、窓開口面対応空間（４）を左側に拡大する方向、即ち、窓開口面対応空間（４）の左端から左側の側方拡大空間（５）の側方部（１５）に至る長さＬ１分だけ、出窓空間（３）を、窓開口面対応空間（４）に対して拡大している。右側の側方拡大空間（５）も同様に形成され、出窓空間（３）は、窓開口面対応空間（４）に対し、左右に各々横長Ｌ１分だけ拡大されている。この横長Ｌ１は、窓開口部（１３）を避けて観葉植物等の鉢植え（１４）が置ける程度の長さとする。具体的には、１５ｃｍ〜５０ｃｍ程度、望ましくは約３０ｃｍ前後とする。出窓空間（３）の外壁（２）からの突出長さは、約１５ｃｍ〜５０ｃｍ程度が望ましく、少なくとも鉢植えが置ける程度とするとよい。
【００２４】
図３では、窓開口面対応空間（４）を上方に拡大する方向、即ち、窓開口面対応空間（４）の上端から、上方拡大空間の上方部（１６）までの距離Ｌ２分だけ、出窓空間（３）を、窓開口面対応空間（４）に対し、上方に拡大する方向に上方拡大空間（６）が設けられている。Ｌ２の長さは、１５ｃｍ〜５０ｃｍ程度、望ましくは約３０ｃｍ前後とする。この長さは、上方拡大空間（６）に達する植物の鉢植え（１４）をおいた場合、上方からの日射を遮蔽できる長さを考慮し、方角や緯度によって適宜増減することが考えられる。図のように、上方拡大空間（６）の高さＬ２を、出窓正面側の垂直面（８）の外壁（２）からの突出長さＬ３とほぼ同程度としてもよい。出窓の拡大長さＬ１、Ｌ２は、窓開口部（１３）の大きさや他の条件に応じても適宜変更する。側方及び上方に出窓空間（３）が拡大されているため、室内側から出窓（１）を見ると室内が広く感じられる。（１１）は窓枠、（１２）は屋根部、（１７）は出窓下面である。
【００２５】
このように、側方拡大空間（５）の横方向の拡大長さＬ１を、鉢植え（１４）を窓開口部（１３）を避けて置ける程度の長さとしておけば、冬季は、丈の高い植物を植えた鉢植え（１４）であっても、鉢植え（１４）を側方拡大空間（５）内に置くことで、日照を窓開口面（７）全面から室内へ取り込むことができる。
【００２６】
一方、日差しを避けたい夏季は、窓開口面（７）の前、即ち窓開口面対応空間（４）内に、前記の丈の高い植物を植えた鉢植え（１４）を移動させれば、日差しを鉢植え（１４）によって遮ることができ、日除けとなる。鉢植え（１４）の植物が上方拡大空間（６）にまで十分伸びたものであれば、上方向からの日射をも遮光できる。
【００２７】
出窓外周は、窓開口面対応空間（４）の正面の垂直面（８）と、この垂直面（８）に連続する側方拡大空間の正面部（９）（９）と上方拡大空間の正面部（１０）、並びに側方拡大空間の側方部（１５）（１５）のほぼ全面をガラス張りとしている。
【００２８】
出窓（１）の正面側の全面のみならず、両側方部（１５）（１５）をも、ほぼ全面にわたって透光面としたことにより、採光は更によくなり、視界が開け、出窓空間が広く感じられる。また、出窓空間（３）に置かれる植物にとっても良好な日当たりが得られ、広い出窓空間（３）がフラワーボックス風に使用できる。
【００２９】
加えて窓開口面対応空間（４）と側方拡大空間（５）（５）と上方拡大空間（６）は区画されていないので、構造が簡単である。
【００３０】
図４は、別の実施形態を示している。出窓正面側は、３枚のガラス窓を引き違い戸（１８）（１８）（１８）とし、開閉できるようにしている。出窓正面側の窓は、ドア式としてもよいし、アームによって前方に滑り出すようにして開閉するスイング窓としてもよく、開閉の方法は問わない。また、出窓外周の全面を開閉できるようにしても、一部のみを開閉できるようにしてもよい。
【００３１】
窓開口部（１３）の側方の側方拡大空間（５）（５）には、丈の高い植物が植えられた鉢植え（１４）が飾られている。この鉢植え（１４）がおかれている場所は、窓開口面対応空間（４）の外に位置し、窓開口部（１３）に干渉しないため、出窓正面側の引き違い戸（１８）（１８）（１８）の開閉の際に鉢植え（１４）が邪魔にならない。
【００３２】
出窓（１）の全体形状は、窓開口面対応空間（４）を側方と上方に拡大したものであれば、どのようなものでもよい。例えば、戸外側に向かって正面側が狭くなる台形状に張り出したものでもよいし、弓状に張り出した出窓でも良い。図５、図６は、弓状に張り出した窓の一例である。
【００３３】
図５において、窓開口部（１３）に対応する垂直面（８）は複数の平面を組み合わせて、全体として丸みをもたせた外観にしている。完全な曲面としても勿論かまわない。出窓側方部（１５）（１５）は透光面である。側方部（１５）はドア式の開閉窓としている。側方拡大空間（５）において正面側に向いた正面部（９）は、外壁（２）に対して斜めになっている。この正面部（９）（９）は、引き戸、或いはスライド式などの開閉窓とすることが考えられる。参考のため、図の左側の正面部（９）はスライド式の窓を図示し、右側の正面部（９）は、引き違い戸として表している。開閉窓とする場合は、引き違い戸、外開きのドア式など、開閉の際に出窓（２）内の鉢植え（１４）等に干渉しないものの方がより望ましい。正面部（９）、側方部（１５）の両方又は一方を開閉可能とすれば、換気など窓の役割を果たすことができる。
【００３４】
図６においては、垂直面（８）に引き違い戸（２１）（２１）を設けている。（２０）は、落下防止のための安全柵又はフェンスである。この安全柵（２０）又はフェンスは、出窓（１）内への光の入射を妨げないように、透光部又は透光面の多いもの、例えば、立て格子形状などとするのが望ましい。出窓側方部（１５）（１５）は透光面である。
【００３５】
いずれの場合でも、少なくとも、窓開口面対応空間（４）の正面垂直面（８）のほぼ全面と、側方拡大空間（５）（５）及び上方拡大空間（６）の正面側に向いた部分のほぼ全面は、透光性を有するガラス窓とする。実施形態のように、側方に向いた側方部（１５）（１５）のほぼ全面を透光面とすれば、より明るい出窓が得られる。また、出窓（１）を設ける場所によっては、側方拡大空間（５）は、左右どちらか一方のみに設けても良い。
【００３６】
更に、これに加えて、出窓の上方部（１６）のほぼ全面を透光面とすることが考えられる。出窓空間（３）を取り囲む正面、両側方部、上方部のそれぞれのほぼ全面を、透光面とすれば、出窓全体を温室のようにすることができる。
【００３７】
特に、庭のない住宅やマンションにおいては、居住者が通常、所有することが期待できない温室兼用の出窓を有することができ、温室によるガーデニングを楽しむことができる。出窓（１）に適宜遮光可能なシャッターや幕、カーテン等を設けることにより、光量を調節すれば、より快適な出窓が得られる。
【００３８】
図７、図８は、この発明の別の実施形態である。窓開口部（１３）に対応する垂直面（８）は、２枚のガラスによる引き違い戸（２１）（２１）とされている。垂直面（８）の周囲、即ち、側方拡大空間（５）の正面部（９）、上方拡大空間（６）の正面部（１０）ともいずれも固定ガラスとし、垂直面（８）の引き違い戸（２１）（２１）のみ開閉できる。引き違い戸（２１）（２１）の前方には、転落防止用の安全柵（２０）であって採光を妨げない立て格子状の柵が設けられている。
【００３９】
出窓空間（２）は、上方拡大空間（６）において屋根部（１２）に至るまで拡大されている。屋根部（１２）の直下において、出窓側方部（１５）の上方には、側面板（２２）が設けられている。この側面板（２２）には、換気扇（２３）と、屋外と出窓（１）との連絡孔（２４）が設けられている。前記連絡孔（２４）は、エアコンの室外機と室内機を繋ぐパイプや、アンテナ線や電話線などを通すためのものである。側面板（２２）は、アルミ板などの加工しやすい金属板とするのが望ましい。このように、換気扇（２３）や屋外との連絡孔（２４）を設ける等して、拡大された出窓空間（３）を有効に利用できる。この実施形態において、出窓上方の屋根部（１２）と出窓下面（１７）、及び出窓側方部（１５）の上部側の側面板（２２）以外は、透光面とされている。
【００４０】
図７において、上方拡大空間（６）中、屋根部（１２）直下の三角形部を除いた高さであって、上方拡大空間正面部（１０）の透光面の高さとも一致する高さＬ４は、出窓正面側の垂直面（８）の外壁（２）から前方への突出長さＬ３とほぼ同じ長さとされている。
【００４１】
なお、この発明は、上記実施形態に限定されるものではなく、この発明の範囲内で上記実施形態に修正及び変更を加え得ることは勿論である。
【００４２】
【発明の効果】
この発明の出窓（１）は、窓開口面（７）に対応する窓開口面対応空間（４）の側方と上方に空間を拡大する側方拡大空間（５）（５）と上方拡大空間（６）を備えていることから、窓開口部（１３）を大きくとることなく、しかも、簡単な構造でありながら、出窓空間（３）が広くとれ、室内空間を十分に拡大できる。
【００４３】
窓開口面対応空間（４）の側方と上方に空間が拡大されているので、従来、出窓に置くことのできなかった、丈の高い植物の鉢植え（１４）を出窓に飾ることができ、植物が成長してもそのまま飾っておける。
【００４４】
また、出窓正面側に面した部分のほぼ全面を透光面とすることで、広い出窓空間（３）から十分な採光が図れ、更には建物の美観を良好にできる。また、広い出窓空間に鉢植え（１４）を飾ることが可能となり、フラワーボックスのように使用できる。冬季には、側方拡大空間（５）内に丈の高い植物を植えた鉢植え（１４）をおけば、日光を窓開口面（７）から十分に室内に採り入れられ、夏季には、同じ鉢植え（１４）を窓開口面（７）の前面に移動させれば、日除けとなる。
【００４５】
請求項２の発明では、出窓側方部（１５）をもそのほぼ全面を透光面としているので、より採光に優れた美しい出窓が得られる。
【００４６】
請求項３の発明では、出窓上方部（１６）のほぼ全面に透光面を設けているので、温室としての利用も可能であり、庭がない住宅やマンション等の居住者にも温室によるカーデングを可能とする。
【００４７】
請求項４の発明では、集合住宅にこの発明に係る採光に優れた広い出窓を設けることにより、マンション全体の美観を向上させ、集合住宅自体の外観に高級感を与えることができる。また、一戸建て住宅に用いても同様の効果が得られる。
【図面の簡単な説明】
【図１】この発明に係る出窓を備えた集合住宅の実施形態を示す正面図である。
【図２】この発明の第１の実施形態に係る出窓の横断面図である。
【図３】同じく縦断面図である。
【図４】この発明の第２の実施形態に係る出窓の斜視図である。
【図５】この発明の第３の実施形態に係る出窓の横断面図である。
【図６】この発明の第４の実施形態に係る出窓の横断面図である。
【図７】この発明の第５の実施形態に係る出窓の縦断面図である。
【図８】この発明の第５の実施形態に係る出窓の正面図である。
【図９】従来の出窓の縦断面図である。
【図１０】同じく横断面図である。
【符号の説明】
（１）　出窓
（２）　外壁
（３）　出窓空間
（４）　窓開口面対応空間
（５）（５）　側方拡大空間
（６）　上方拡大空間
（７）　窓開口面
（８）　垂直面
（９）（９）　側方拡大空間正面部
（１０）　上方拡大空間正面部
（１３）　窓開口部
（１４）　鉢植え
（１５）　出窓側方部
（１６）　出窓上方部
【図１】
2004068359.tif 000003
【図２】
2004068359.tif 000004
【図３】
2004068359.tif 000005
【図４】
2004068359.tif 000006
【図５】
2004068359.tif 000007
【図６】
2004068359.tif 000008
【図７】
2004068359.tif 000009
【図８】
2004068359.tif 000010
【図９】
2004068359.tif 000011
【図１０】
2004068359.tif 000012